(57)【要約】【課題】  病院などから出された薬を専用の薬入れ（例えば、専用の薬箱）に移し変えるといった面倒な手間や服用時期（時刻）を合わせるといった面倒な操作をすることなく、かつ、使用場所も選ばずに使用できる小型・安価な薬飲み忘れ防止装置を提供すること。【解決手段】  本体ケース１１に、検出手段３１と、時間設定スイッチ３３と、時刻記憶手段（ＲＡＭ１７、時計部）と、時刻記憶手段に記憶された時刻から第１設定時間経過後（例えば２４時間経過後）ごとに薬を飲む時刻になったことを告知するように告知手段（ＬＥＤ４１）と、告知手段による告知後から第２設定時間内（例えば１時間内）に検出手段３１が係止機構２１の閉鎖が解除されなかった場合には警告音（ブザー音）を出すブザー回路４３と、を設ける。【選択図】  図１
0003114969.tif 000002
【実用新案登録請求の範囲】
【請求項１】
薬を収容する薬入れの入口部分を閉鎖可能とされるとともに外力で閉鎖を解除可能な係止機構を備えかつ当該薬入れとは別体で携帯も可能な本体ケースを有し、
この本体ケースには、前記係止機構による前記薬入れの入口部分の閉鎖が解除されたことを検出する検出手段と、薬を飲む時間をセットするための時間設定スイッチと、この時間設定スイッチがオンされた時刻を記憶する時刻記憶手段と、薬を飲む時刻になったことを光で告知する告知手段と、警告音を発する警告手段と、当該時刻記憶手段に記憶された時刻から第１設定時間経過後ごとに薬を飲む時刻になったことを告知するように告知手段を制御する告知制御手段と、告知手段による告知後から第２設定時間内に前記検出手段が前記係止機構の閉鎖が解除されたことを未検出の場合には警告音を出すように前記警告手段を制御する警告制御手段と、が設けられていることを特徴とする薬飲み忘れ防止装置。
【請求項２】
前記薬入れが病院等で処方された薬が入った薬袋とされた請求項１記載の薬飲み忘れ防止装置。
【請求項３】
薬を収容する薬入れが、薬を収容可能な一方本体と、この一方本体に対して開閉可能な他方本体とから形成され、当該一方本体および他方本体のそれぞれに舌片を対向して突設し、当該一対の舌片を閉鎖可能かつ外力で閉鎖を解除可能な係止機構を備えかつ当該薬入れとは別体で携帯も可能な本体ケースを有し、
この本体ケースには、前記係止機構による前記薬入れの入口部分の閉鎖が解除されたことを検出する検出手段と、薬を飲む時間をセットするための時間設定スイッチと、この時間設定スイッチがオンされた時刻を記憶する時刻記憶手段と、薬を飲む時刻になったことを光で告知する告知手段と、警告音を発する警告手段と、当該時刻記憶手段に記憶された時刻から第１設定時間経過後ごとに薬を飲む時刻になったことを告知するように告知手段を制御する告知制御手段と、告知手段による告知後から第２設定時間内に前記検出手段が前記係止機構の閉鎖が解除されたことを未検出の場合には警告音を出すように前記警告手段を制御する警告制御手段と、が設けられていることを特徴とする薬飲み忘れ防止装置。
【請求項４】
前記告知手段が、通常告知光と、当該通常告知光とは色が相違する緊急告知光を発光可能に形成され、当該告知手段による告知後から第２設定時間内に前記検出手段が前記係止機構の閉鎖が解除されたことを未検出で次の設定時刻に達した場合には当該緊急告知光を発光するように前記告知手段を制御する告知制御手段と、が設けられていることを特徴とする請求項１又は３記載の薬飲み忘れ防止装置。
【考案の詳細な説明】
【技術分野】
【０００１】
本考案は、薬飲み忘れ防止装置に関する。
【背景技術】
【０００２】
従来、病院等で処方された薬の飲み忘れを防止するための装置（薬飲み忘れ防止装置）が提案されている（例えば、特許文献１，２参照）。
【０００３】
特許文献１には、専用の薬箱の正面中央にダイヤルを設け、このダイヤルを右回しにして、次の時期（ひる）に合わせなければ二度とふたを開けることができない薬飲み忘れ防止装置が開示されている。
【０００４】
特許文献２には、薬 剤を収納する収納部と収納部を開閉する開閉部を有する薬 剤保存容器と、開閉部の開閉状態を検知する磁気抵抗センサーと、磁気抵抗センサーで検知した開閉情報を記憶する記憶部と、開閉情報を表示できる表示部を備えた薬飲み忘れ防止装置が開示されている。
【特許文献１】特開平１０−２２５５０２号公報
【特許文献２】特開２００３−１４４５２４号公報
【考案の開示】
【考案が解決しようとする課題】
【０００５】
ところで、上記した特許文献１に開示された薬飲み忘れ防止装置では、薬を収容するための薬入れ（薬箱）を開けたことを検知する手段が当該薬入れに組み込まれている。そのため、上記した特許文献１に係る薬飲み忘れ防止装置を使用しようとする者は、当該装置を購入し、病院などで出された薬袋から薬を当該装置に移し変えるという面倒な手間が必要であった。また、薬 を服用後、一度（例えば、朝）ふたをすると、ダイヤルを右回しにして、次の時期（ひる）に合わせなければ二度とふたは開けることができない、とされているが、薬を服用時ごとに次の時期を合わせてダイヤルを回さなければならないので、操作が厄介である。使用者は、1日に服用する時期を漠然と把握しているものであるが、正確な時刻を合わせるのは大変である。
【０００６】
特許文献２に開示された薬飲み忘れ防止装置も、上記した特許文献１に係る装置と同様な上記不都合を有しているが、それに加えて、時間合わせ等をするための「開閉情報を表示できる表示部」と設けており、装置が複雑化してしまい、大型化および製造コストが嵩んでしまう。また、面倒な時間合わせをしなければならない。
【０００７】
本考案は、病院などから出された薬を専用の薬入れ（例えば、専用の薬箱）に移し変えるといった面倒な手間や服用時期（時刻）を合わせるといった面倒な操作をすることなく、かつ、使用場所も選ばずに使用できる小型・安価な薬飲み忘れ防止装置を提供することを目的とする。
【課題を解決するための手段】
【０００８】
上記目的を達成するために、請求項１の考案は、薬を収容する薬入れの入口部分を閉鎖可能とされるとともに外力で閉鎖を解除可能な係止機構を備えかつ当該薬入れとは別体で携帯も可能な本体ケースを有し、この本体ケースには、前記係止機構による前記薬入れの入口部分の閉鎖が解除されたことを検出する検出手段と、薬を飲む時間をセットするための時間設定スイッチと、この時間設定スイッチがオンされた時刻を記憶する時刻記憶手段と、薬を飲む時刻になったことを光で告知する告知手段と、警告音を発する警告手段と、当該時刻記憶手段に記憶された時刻から第１設定時間経過後ごとに薬を飲む時刻になったことを告知するように告知手段を制御する告知制御手段と、告知手段による告知後から第２設定時間内に前記検出手段が前記係止機構の閉鎖が解除されたことを未検出の場合には警告音を出すように前記警告手段を制御する警告制御手段と、が設けられていることを特徴とする薬飲み忘れ防止装置である。
【０００９】
上記した請求項１の考案の場合、薬入れと、当該薬入れが使用者によって開けられたことを検出する手段を収容した本体ケースとは別体に形成されているので、例えば、病院などで処方された薬が収納された薬袋（処方薬袋）に、本考案に係る本体ケースを装着して使用できる。したがって、薬を移し変えるといった面倒な手間を掛ける必要がない。
【００１０】
また、薬の服用時期を最初に設定すれば、以後、時刻合わせをする必要がない。例えば、最初の薬の服用時期（朝の時期）を設定すれば、第１設定時間（例えば翌日以降の同時刻）後に告知手段で薬の服用時期を知らせる。すなわち、薬の服用時期（例えば朝以外の昼の時期でも夜の時期でも、あるいは、１日の朝・昼・夜の複数時刻でも）を初回に設定すれば、第１設定時間（例えば翌日以降の同時刻）後に告知手段で薬の服用時期を知らせる。これにより、病院などで処方された薬を薬入れに移し変えるといった面倒な手間や、薬の服用時に、従来の特許文献１に示すようにダイヤル操作をして次の服用時期（時刻）を合わせるといった面倒な操作をする必要がなくなる。また、本体ケースは携帯可能であるので、使用場所も選ばずに使用できる。
【００１１】
また、上記したように、薬の初回の服用時を設定すれば、以後、第１設定時間（例えば翌日以降の同時刻）後に服用時期を知らせるので、特許文献２に係る装置のように服用時間等合わせのための「表示部」と設ける必要がない。これにより、装置を小型・安価にできる。
【００１２】
なお、上記した告知手段による告知が出てから第２設定時間内（例えば１時間内）に係止機構の薬入れの入口部分の閉鎖が解除されなかったとき、すなわち、検出手段がオンされなかったときには、警告手段から警告が出される。これにより、使用者に薬の飲み忘れが確実に防止される。
【００１３】
請求項２の考案は、前記薬入れが病院等で処方された薬が入った薬袋とされた請求項１記載の薬飲み忘れ防止装置である。
【００１４】
上記した請求項２の考案の場合、請求項１の考案の場合と同様な作用・効果を奏する他、薬入れが病院などで処方された薬が入った薬袋（処方薬袋）とされているので、当該処方薬袋に記載された注意書等を一段と正確に守ることができる。
【００１５】
請求項３の考案は、薬を収容する薬入れが、薬を収容可能な一方本体と、この一方本体に対して開閉可能な他方本体とから形成され、当該一方本体および他方本体のそれぞれに舌片を対向して突設し、当該一対の舌片を閉鎖可能かつ外力で閉鎖を解除可能な係止機構を備えかつ当該薬入れとは別体で携帯も可能な本体ケースを有し、この本体ケースには、前記係止機構による前記薬入れの入口部分の閉鎖が解除されたことを検出する検出手段と、薬を飲む時間をセットするための時間設定スイッチと、この時間設定スイッチがオンされた時刻を記憶する時刻記憶手段と、薬を飲む時刻になったことを光で告知する告知手段と、警告音を発する警告手段と、当該時刻記憶手段に記憶された時刻から第１設定時間経過後ごとに薬を飲む時刻になったことを告知するように告知手段を制御する告知制御手段と、告知手段による告知後から第２設定時間内に前記検出手段が前記係止機構の閉鎖が解除されたことを未検出の場合には警告音を出すように前記警告手段を制御する警告制御手段と、が設けられていることを特徴とする薬飲み忘れ防止装置である。
【００１６】
上記した請求項３の考案の場合、例えば、一般家庭にある薬箱の本体ケース（本請求項の一方本体相当）と蓋（本請求項の他方本体相当）に一対の舌片を突設し、当該両舌片を係止機構で係止する。このようにすれば、上記した請求項１の考案の場合と同様な作用・効果を奏する。すなわち、薬の服用時期を最初に設定すれば、以後、時刻合わせをする必要がない。例えば、最初の薬の服用時期（朝の時期）を設定すれば、第１設定時間（例えば翌日以降の同時刻）後に告知手段で薬の服用時期を知らせる。すなわち、薬の服用時期（例えば朝以外の昼の時期でも夜の時期でも、あるいは、１日の朝・昼・夜の複数時期でも）を初回に設定すれば、第１設定時間（例えば翌日以降の同時刻）後に告知手段で薬の服用時期を知らせる。これにより、病院などで処方された薬を薬入れに移し変えるといった面倒な手間や、薬の服用時に、次の服用時期（時刻）を合わせるといった面倒な操作をする必要がなくなる。
【００１７】
また、上記したように、薬の初回の服用時を設定すれば、以後、第１設定時間（例えば翌日以降の同時刻）後に服用時期を知らせるので、特許文献２に係る装置のように服用時間等合わせのための「表示部」と設ける必要がない。これにより、装置を小型・安価にできる。
【００１８】
なお、上記した告知手段による告知が出てから第２設定時間内（例えば１時間内）に係止機構の薬入れの入口部分の閉鎖が解除されなかったとき、すなわち、検出手段がオンされなかったときには、警告手段から警告音が出される。これにより、使用者に薬の飲み忘れが確実に防止される。
【００１９】
請求項４の考案は、前記告知手段が、通常告知光と、当該通常告知光とは色が相違する緊急告知光を発光可能に形成され、当該告知手段による告知後から第２設定時間内に前記検出手段が前記係止機構の閉鎖が解除されたことを未検出で次の設定時刻に達した場合には当該緊急告知光を発光するように前記告知手段を制御する告知制御手段と、が設けられていることを特徴とする請求項１又は３記載の薬飲み忘れ防止装置である。
【００２０】
上記した請求項４の考案の場合、例えば、薬の服用時刻に外出等で居ないか、または、何らかの理由で服用しなかった場合、次の設定時刻（例えば、朝に薬を服用しなかった場合、昼の設定服用時刻）に、告知手段が通常告知光（例えば緑色）とは色が相違する緊急告知光（例えば赤色）を発光する。これにより、使用者は直前回薬を飲み忘れたことに気づく。そのため、請求項１又は３記載の考案の場合と同様な作用・効果を奏する他、薬の飲み忘れにも一段と有効に対処できる。
【考案の効果】
【００２１】
請求項１の考案によれば、病院などから処方された薬を薬入れに移し変えるといった面倒な手間を掛けることなく、かつ、使用場所も選ばずに使用できる薬の飲み忘れを一段と有効に防止できる。また、薬の服用時期を最初に設定すれば、以後、時刻合わせをする厄介な操作の必要がない。また、服用時間等合わせのための表示部を設ける必要がないので、装置を小型・安価にできる。
【００２２】
また、請求項２の考案によれば、服用時の大事な注意等が記載された処方薬袋に、本考案に係る本体ケースをそのまま装着して使用できる。したがって請求項１の発明と同様な効果を奏する他、薬の服用する際の注意を一段と正確に守ることができる。
【００２３】
請求項３の考案によれば、上記した請求項１の考案の場合と同様な効果を奏する。すなわち、薬の服用時期を最初に設定すれば、以後、時刻合わせをする必要がない。例えば、最初の薬の服用時期（朝の時期）を設定すれば、第１設定時間（例えば翌日以降の同時期）後に告知手段で薬の服用時期を知らせる。すなわち、薬の服用時期（例えば朝以外の昼の時期でも夜の時期でも、あるいは、１日の朝・昼・夜の複数時期でも）を初回に設定すれば、第１設定時間（例えば翌日以降の同時刻）後に告知手段で薬の服用時期を知らせる。これにより、病院などで処方された薬を薬入れに移し変えるといった面倒な手間や、薬の服用時に、次の服用時期（時刻）を合わせるといった面倒な操作をする必要がなくなる。また、上記したように、薬の初回の服用時を設定すれば、以後、第１設定時間（例えば翌日以降の同時刻）後に服用時期を知らせるので、特許文献２に係る装置のように服用時間等合わせのための「表示部」と設ける必要がない。これにより、装置を小型・安価にできる。なお、上記した告知手段による告知が出てから第２設定時間内（例えば１時間内）に係止機構の薬入れの入口部分の閉鎖が解除されなかったとき、すなわち、検出手段がオンされなかったときには、警告手段から警告が出される。これにより、使用者に薬の飲み忘れが確実に防止される。
【００２４】
請求項４の考案によれば、例えば、薬の服用時刻に外出等で居ないか、または、何らかの理由で服用しなかった場合、次の設定時刻（例えば、朝に薬を服用しなかった場合、昼の設定服用時刻）に、告知手段が通常告知光（例えば緑色）とは色が相違する緊急告知光（例えば赤色）を発光する。これにより、使用者は直前回薬を飲み忘れたことに気づく。そのため、請求項１又は３記載の考案の場合と同様な作用・効果を奏する他、薬の飲み忘れにも一段と有効に対処できる。
【考案を実施するための最良の形態】
【００２５】
（第１の実施の形態）
【００２６】
本考案の最良の実施形態を図面に基づき説明する。
【００２７】
本考案に係る薬飲み忘れ防止装置１０は、図１（Ａ），（Ｂ）に示すように、薬を収容する薬入れの入口部分（この実施形態では、病院などで処方された薬が入った薬袋の開閉口）を閉鎖するための各種手段を収容するとともに当該薬入れとは別体で携帯可能な本体ケース１１を有している。
【００２８】
この本体ケース１１は、係止機構２１による薬入れの入口部分の閉鎖が解除されたことを検出する検出手段３１と、薬入れの入口部分を閉鎖可能とされるとともに外力により閉鎖を解除可能な係止機構２１と、初回に薬を飲む時間をセットするための時間設定スイッチ３３と、この時間設定スイッチ３３がオンされた時刻を記憶する時刻記憶手段（ＲＡＭ１７、時計部）と、警告を発する警告手段（ブザー回路４３）と、当該時刻記憶手段（ＲＡＭ１７）に記憶された時刻から第１設定時間経過後（例えば２４時間経過後）ごとに薬を飲む時刻になったことを告知するように告知手段（ＬＥＤ４１）を制御する告知制御手段（ＣＰＵ１５）と、告知手段（４１）による告知後から第２設定時間内（例えば１時間内）に検出手段３１が係止機構２１の閉鎖が解除されたことを検出しなかった場合には警告音（ブザー音）を出すように警告手段（４３）を制御する警告制御手段（ＣＰＵ１５）と、リセットスイッチ４５等の各種スイッチと、が設けられている。なお、第１設定時間、第２設定時間は、それぞれ上記した時間とは相違する時間に設定可能である。
【００２９】
この本体ケース１１には、係止機構２１や検出手段３１の他に、以下に詳述する電子制御装置１４が設けられている。
【００３０】
電子制御装置１４は、プログラムに従って各種演算と制御とを行うＣＰＵ１５、プログラムと各種メッセージ情報等が記憶されたＲＯＭ（リードオンリィメモリー）１６、時刻を記憶等するためのＲＡＭ（ランダムアクセスメモリー）１７、時間設定スイッチ３３、告知手段としてのＬＥＤ４１、警告手段としてのブザー回路４３から構成されている。なお、図１中、５５は電源としての電池である。
【００３１】
上記した電子制御装装置１４が電源が入れられた状態で、使用者によって初回の薬服用時に時間設定スイッチ３３がオンされると、ＣＰＵ１５はオンされた時間をＲＡＭ１７および時計部に記憶させる。そして、ＣＰＵ１５は、当該ＲＡＭ１７および時計部に記憶された時間から第１設定時間経過後（この実施形態では、２４時間経過後）ごとに薬を飲む時刻になったことを告知するように告知手段（ＬＥＤ４１）を制御する。使用者が、朝以外の昼や夜の薬服用時に上記した同じ操作をした場合も同様な処理をする。
【００３２】
これを受けて、ＬＥＤ４１は、第１設定時間経過後の３０分前から点灯する。これにより、使用者は、薬を飲む時刻が来たことを正確に分かる。
【００３３】
なお、上記した告知手段（４１）による告知が出てから第２設定時間内（１時間内）に係止機構２１の薬袋２の開閉口３の閉鎖が解除されなかったとき、すなわち、検出手段３１がオンされなかったときには、ＣＰＵ１５は、警告音を出すように警告手段（４３）を制御する。これにより、ブザー回路４３からは警告音（ブザー音）が３分間発せられ、使用者に注意を促す。その後、ＬＥＤ４１は消灯される。
【００３４】
上記した構成の本薬飲み忘れ防止装置１０によれば、例えば、病院などから出された薬が収納された薬入れ（処方薬袋２）と、当該薬入れ（２）が使用者によって開けられたことを検出する電子制御装置１４等を収容した本体ケース１１とは別体に形成されているので、当該薬入れ（２）に本体ケース１１を装着して使用できる。したがって、処方薬袋から薬を移し変えるといった面倒な手間を掛ける必要がない。また、本体ケース１１は携帯可能であるので、使用場所も選ばずに使用できる。
【００３５】
また、薬の服用時期を最初に設定すれば、以後、時刻合わせをする必要がない。例えば、最初の薬の服用時期（朝の時期）を設定すれば、第１設定時間（例えば翌日以降の同時期）後に告知手段で薬の服用時期を知らせる。すなわち、薬の服用時期（例えば朝以外の昼の時期でも夜の時期でも、あるいは、１日の朝・昼・夜の複数時期でも）を初回に設定すれば、第１設定時間（例えば翌日以降の同時刻）後に告知手段（４１）で薬の服用時期を知らせる。これにより、病院などから出された薬を専用の薬入れ（例えば、専用の薬箱）に移し変えるといった面倒な手間や、薬の服用時に次の服用時期（時刻）を合わせるといった面倒な操作をする必要がなくなる。また、本体ケース１１は携帯可能であるので、使用場所も選ばずに使用できる。なお、上記したように、服用時刻を1度設定すれば、以後服用時刻の変更を必要とするまで改めて設定の必要がない。服用時刻を変更したいときは、リセットボタン５１を押して再設定すればよい。
【００３６】
また、上記したように、薬の初回の服用時を設定すれば、以後、第１設定時間後ごとに服用時期を知らせるので、服用時期等合わせのための「表示部」と設ける必要がない。これにより、装置を小型・安価にできる。
【００３７】
なお、上記した告知手段４３による告知が出てから第２設定時間内（例えば１時間内）に係止機構２１の薬入れの入口部分の閉鎖が解除されなかったとき、すなわち、検出手段がオンされなかったときには、警告手段（４３）から警告が出される。これにより、使用者の薬の飲み忘れが確実に防止される。
【００３８】
また、薬の飲み忘れを検出した場合には、警告手段（４３）から、警告音が発せられる。これにより、薬の飲み忘れを有効に防止できる。
【００３９】
また、薬入れが病院などで処方された薬画入った薬袋（処方薬袋）とされているので、当該処方薬袋に記載された注意書等を正確に守ることができる。
【００４０】
（第２の実施形態）
【００４１】
この第２の実施形態に係る薬飲み忘れ防止装置１０は、図３に示すように、薬を収容する薬入れが、薬を収容可能な一方本体４と、この一方本体４に対して開閉可能な他方本体５とから形成され、当該一方本体４および他方本体５のそれぞれに舌片（７，６）を対向して突設し、当該一対の舌片（７，６）を閉鎖可能かつ外力で閉鎖を解除可能な係止機構２１Ａを備えかつ当該薬入れ（及び舌片（７，６））とは別体で携帯も可能な本体ケース１１を有している。
【００４２】
詳しくは、上記した一方本体４は、一般家庭にある薬箱の本体ケースが選定されている。また、他方本体５は、家庭の薬箱の蓋が選定されている。また、両舌片（７，６）は、両面テープを用いてそれぞれの本体（４，５）の正面に取り付けられている。これら両舌片（７，６）を係止機構２１Ａで係止している。
【００４３】
また、上記した本体ケース１１には、係止機構２１Ａによる閉鎖が解除されたことを検出する検出手段（第１の実施形態の検出手段３１相当）と、薬を飲む時間をセットするための時間設定スイッチ（第１の実施形態の時間設定スイッチ３３相当）と、この時間設定スイッチ（３３）がオンされた時刻を記憶する時刻記憶手段（第１の実施形態のＲＡＭ１７相当）と、薬を飲む時刻になったことを光で告知する告知手段（第１の実施形態のＬＥＤ４１相当）と、警告音を発する警告手段（第１の実施形態のブザー回路４３相当）と、当該時刻記憶手段（１７）に記憶された時刻から第１設定時間経過後ごとに薬を飲む時刻になったことを告知するように告知手段（４１）を制御する告知制御手段（第１の実施形態のＣＰＵ１５相当）と、告知手段（４１）による告知後から第２設定時間内に検出手段（３１）が係止機構２１Ａの閉鎖が解除されたことを未検出の場合には警告音を出すように警告手段（４３）を制御する警告制御手段（第１の実施形態のＣＰＵ１５相当）と、が設けられている。
【００４４】
この第２の実施形態に係る薬飲み忘れ防止装置１０には、上記した検出手段等を備えた電子制御装置が設けられているが、第１の実施形態の電子制御装置１４と同様構成であるので、詳細な説明を省略する。
【００４５】
上記した構成の第２の実施形態に係る薬飲み忘れ防止装置１０にすれば、薬の服用時期を最初に設定すれば、以後、時刻合わせをする必要がない。例えば、最初の薬の服用時期（朝の時期）を設定すれば、第１設定時間（例えば翌日以降の同時期）後に告知手段で薬の服用時期を知らせる。すなわち、薬の服用時期（例えば朝以外の昼の時期でも夜の時期でも、あるいは、１日の朝・昼・夜の複数時期でも）を初回に設定すれば、第１設定時間（例えば翌日以降の同時刻）後に告知手段で薬の服用時期を知らせる。これにより、病院などで処方された薬を薬入れに移し変えるといった面倒な手間や、薬の服用時に、次の服用時期（時刻）を合わせるといった面倒な操作をする必要がなくなる。
【００４６】
また、上記したように、薬の初回の服用時を設定すれば、以後、第１設定時間（例えば翌日以降の同時刻）後に服用時期を知らせるので、特許文献２に係る装置のように服用時間等合わせのための「表示部」と設ける必要がない。これにより、装置を小型・安価にできる。
【００４７】
なお、上記した告知手段（４１）による告知が出てから第２設定時間内（例えば１時間内）に係止機構２１Ａの閉鎖が解除されなかったとき、すなわち、検出手段（３１）がオンされなかったときには、警告手段（４３）から警告が出される。これにより、使用者に薬の飲み忘れが確実に防止される。
【００４８】
（第３の実施形態）
【００４９】
第３の実施形態に係る薬飲み忘れ装置は、上記した第１及び第２の実施形態の告知手段（ＬＥＤ４１）が、通常告知光と、当該通常告知光（例えば、発光色が緑色）とは色が相違する緊急告知光（例えば、発光色が赤色）を発光可能に形成され、当該告知手段（４１）による告知後から第２設定時間内に前記検出手段〔３１，（３１）〕が前記係止機構（２１，２１Ａ）の閉鎖が解除されたことを未検出で次の設定時刻に達した場合には当該緊急告知光を発光するように当該告知手段〔４１，（４１）〕を制御する告知制御手段〔１５，（１５）〕と、が設けられている構成である。この第３の実施形態では、告知手段（ＬＥＤ４１）が、緑色と赤色に発光するものが用いられている。なお、告知手段を、例えば、発光色が緑色のＬＥＤと、発光色が緑色のＬＥＤを切換発光させるように構成してもよい。
【００５０】
この第３の実施形態に係る薬飲み忘れ装置によれば、例えば、薬の服用時刻に外出等で居ないか、または、何らかの理由で服用しなかった場合、次の設定時刻（例えば、朝に薬を服用しなかった場合、昼の設定服用時刻）に、告知手段〔４１，（４１）〕が通常告知光（例えば緑色）とは色が相違する緊急告知光（例えば赤色）を発光する。これにより、使用者は直前回薬を飲み忘れたことに気づく。そのため、薬の飲み忘れにも一段と有効に対処できる（例えば、身体に問題がなければ、朝に服用すべき薬を昼の設定時刻に飲むなど）。
【図面の簡単な説明】
【００５１】
【図１】本考案に係る薬飲み忘れ防止装置の実施形態を説明するための図である。
【図２】本体ケースに収容された電子制御装置の構成を説明するためのブロック図である。
【図３】第３の実施形態を説明するための図である。
【符号の説明】
【００５２】
１０  薬飲み忘れ防止装置
１１  本体ケース
１４  電子制御装置
１５  ＣＰＵ
１６  ＲＯＭ
１７  ＲＡＭ
２１  係止機構
２２  支軸
２３  梃子部材
２４  一端部
２５  他端部
３１  検出手段
３３  時刻設定スイッチ
４１  ＬＥＤ
４３  ブザー回路
【図１】
0003114969.tif 000003
【図２】
0003114969.tif 000004
【図３】
0003114969.tif 000005